(57)【要約】【課題】電池交換が不要で、停電時に点灯する保安灯機能を備えた照明装置を提供する。【解決手段】建物内には、交流電源を供給するための交流電源線Ｌ２と、バッテリー３により停電保証された直流電源を供給するための直流電源線Ｌ１とが並行配線されている。足下灯１Ａ〜１Ｄは、直流電源線Ｌ１及び交流電源線Ｌ２がそれぞれ接続される直流接続端子Ｔ１及び交流接続端子Ｔ２と、直流接続端子Ｔ１に入力された直流電源の電源電圧を内部回路の動作電圧に変換するＤＣ／ＤＣコンバータ６と、交流接続端子Ｔ２に入力される電源電圧（ＡＣ１００Ｖ）が所定の閾値を下回ると点灯信号を出力する停電検知回路８と、停電検知回路８から点灯信号が入力されると、直流接続端子Ｔ１から入力され、バッテリー３により停電保証された直流電源から得た電源で、ＬＥＤ１０を点灯させるＬＥＤ制御回路９とを備える。【選択図】図１
2010040205.tif 000002
【特許請求の範囲】
【請求項１】
バッテリーにより停電保証された直流電源を供給するための直流電源線と、交流電源を供給するための交流電源線とが並行配線された建物内に設置され、前記直流電源線が接続される直流接続端子と、前記交流電源線が接続される交流接続端子と、前記交流電源の停電を検知する停電検知回路と、当該停電検知回路による停電検知時に、直流接続端子に入力された前記直流電源から得た電源で、直流電力で駆動される直流光源を点灯させる点灯回路とを備えたことを特徴とする照明装置。
【請求項２】
通路に面した壁面に取り付けられる器具本体に、前記直流光源と前記停電検知回路と前記点灯回路とを収納したことを特徴とする請求項１記載の照明装置。
【請求項３】
前記器具本体に、前記交流接続端子から入力される交流電源を外部の交流機器に供給するためのＡＣコンセント部、又は、前記直流接続端子から入力される直流電源を外部の直流機器に供給するためのＤＣコンセント部のうち少なくとも何れか一方を設け、前記コンセント部に供給される電源から前記停電検知回路の電源を得ることを特徴とする請求項２記載の照明装置。
【請求項４】
天井面に取り付けられる器具本体に、前記直流光源と前記停電検知回路と前記点灯回路とを収納したことを特徴とする請求項１記載の照明装置。
【請求項５】
直流電源用の直流接続部及び交流電源用の交流接続部を具備して天井下面に配設された引掛シーリングに着脱自在に取り付けられる器具本体を備え、当該器具本体に前記直流光源と前記停電検知回路と前記点灯回路が収納され、引掛シーリングの直流接続部及び交流接続部から器具本体に直流電源及び交流電源がそれぞれ供給されることを特徴とする請求項１記載の照明装置。
【発明の詳細な説明】
【技術分野】
【０００１】
本発明は、停電時に点灯する保安灯機能を備えた照明装置に関するものである。
【背景技術】
【０００２】
この種の照明装置としては、廊下に面した壁面に設置されて、足下を照明する足下灯が従来提供されていた（例えば特許文献１参照）。この足下灯は、交流電源の通電中に充電される二次電池を内蔵しており、交流電源の停電が発生すると、二次電池により光源を点灯させることで、停電時の明るさを確保している。
【特許文献１】特開２００２−８４１１号公報
【発明の開示】
【発明が解決しようとする課題】
【０００３】
しかしながら、上記の照明装置では、個々の照明装置に二次電池を内蔵させているため、二次電池の寿命がくると、個々の照明装置で二次電池を交換する必要があり、二次電池を交換する手間が煩雑であった。
【０００４】
本発明は上記問題点に鑑みて為されたものであり、その目的とするところは、電池交換が不要で、停電時に点灯する保安灯機能を備えた照明装置を提供することにある。
【課題を解決するための手段】
【０００５】
上記目的を達成するために、請求項１の発明は、バッテリーにより停電保証された直流電源を供給するための直流電源線と、交流電源を供給するための交流電源線とが並行配線された建物内に設置され、直流電源線が接続される直流接続端子と、交流電源線が接続される交流接続端子と、交流電源の停電を検知する停電検知回路と、当該停電検知回路による停電検知時に、直流接続端子に入力された直流電源から得た電源で、直流電力で駆動される直流光源を点灯させる点灯回路とを備えたことを特徴とする。
【０００６】
請求項２の発明は、請求項１の発明において、通路に面した壁面に取り付けられる器具本体に、直流光源と停電検知回路と点灯回路とを収納したことを特徴とする。
【０００７】
請求項３の発明は、請求項２の発明において、器具本体に、交流接続端子から入力される交流電源を外部の交流機器に供給するためのＡＣコンセント部、又は、直流接続端子から入力される直流電源を外部の直流機器に供給するためのＤＣコンセント部のうち少なくとも何れか一方を設け、コンセント部に供給される電源から停電検知回路の電源を得ることを特徴とする。
【０００８】
請求項４の発明は、請求項１の発明において、天井面に取り付けられる器具本体に、直流光源と停電検知回路と点灯回路とを収納したことを特徴とする。
【０００９】
請求項５の発明は、請求項１の発明において、直流電源用の直流接続部及び交流電源用の交流接続部を具備して天井下面に配設された引掛シーリングに着脱自在に取り付けられる器具本体を備え、当該器具本体に直流光源と停電検知回路と点灯回路が収納され、引掛シーリングの直流接続部及び交流接続部から器具本体に直流電源及び交流電源がそれぞれ供給されることを特徴とする。
【発明の効果】
【００１０】
請求項１の発明によれば、直流接続端子にはバッテリーにより停電保証された直流電源が接続されており、停電検知回路による停電検知時には、点灯回路が、直流接続端子に入力された直流電源から得た電源で直流光源を点灯させているので、個々の照明装置に二次電池を持たせなくても、停電時に直流光源を点灯させることができ、したがって各照明装置のコストダウンが図られるとともに、各照明装置で二次電池を交換する手間が無くなるという効果がある。しかも、個々の照明装置で停電を検知することができるので、例えば分電盤などで停電検知を行い、分電盤から各照明装置に停電検知信号を送信して、各照明装置を点灯させる場合に比べて、各照明装置に停電検知信号を受信する回路や、分電盤と各照明装置の間を接続する通信線などが不要になるから、照明装置のさらなるコストダウンを実現できるという効果がある。
【００１１】
請求項２の発明によれば、保安灯機能を備え、停電時に点灯させるための電源として二次電池を不要にした足下灯を実現できる。
【００１２】
請求項３の発明によれば、照明装置のＤＣコンセント部或いはＡＣコンセント部に負荷機器のプラグを接続することで、照明装置から負荷機器に直流電源或いは交流電源を供給することができ、且つ、コンセント部に供給される電源から停電検知回路の電源を得て、停電検知回路を動作させることができる。
【００１３】
請求項４の発明によれば、保安灯機能を備え、停電時に点灯させるための電源として二次電池を不要にした天井取付型の照明器具を実現できる。
【００１４】
請求項５の発明によれば、引掛シーリングを用いて天井面に取り付けられる照明装置において、保安灯機能を備え、停電時に点灯させるための電源として二次電池を不要にした照明装置を実現できる。
【発明を実施するための最良の形態】
【００１５】
以下に、本発明の実施の形態を図面に基づいて説明する。
【００１６】
（実施形態１）
本発明に係る照明装置の実施形態１を図１〜図６に基づいて説明する。尚、本実施形態では、照明装置として廊下などの通路に面した壁に取着されて足下を照明する足下灯を例に説明する。
【００１７】
図１（ａ）は足下灯１Ａ〜１Ｄを用いた照明システムのシステム構成図であり、この照明システムは、建物内に配線された交流電源線Ｌ２と、交流電源線Ｌ２を介して供給される交流電源（ＡＣ１００Ｖ）を直流電源（例えばＤＣ４８Ｖ）に変換するＡＣ／ＤＣコンバータ２と、建物内に交流電源線Ｌ２と並行して配線され、ＡＣ／ＤＣコンバータ２の直流出力端子に接続される直流電源線Ｌ１と、直流電源線Ｌ１に接続され通電中は充電されるとともに停電時には充電電荷を放電するバッテリー３と、交流電源線Ｌ２及び直流電源線Ｌ１にそれぞれ接続され、交流電源或いは直流電源の供給を受けて動作する足下灯１Ａ〜１Ｄとを備えている。なお、足下灯１Ａ〜１Ｄの器具本体１２は、日本工業規格で規格化（ＪＩＳ  Ｃ  ８３７５参照）された大角形連用配線器具の取付枠に３個まで並べて取着可能なモジュール寸法の３個分の大きさ（この大きさを３個モジュール寸法という。）に形成され、器具本体１２には上記取付枠に取り付けるための取付手段が設けられている。そして、足下灯１Ａ〜１Ｄは、取付枠を用いて通路に面した壁面に埋込配設されており、取付枠の前面側に取着される化粧プレート１１の開口窓１１ａから、足下灯１Ａ〜１Ｄの機能面（前面）が露出するようになっている。なお、上記の取付枠や、取付枠に取り付けるための取付手段については従来周知であるのでその説明は省略する。
【００１８】
次に足下灯１Ａ〜１Ｄの回路構成について説明する。ここで、足下灯１Ａ〜１Ｃの前面下側には、ＬＥＤ１０の前面を覆う透光カバー１０ａが配置され、足下灯１Ｄの前面には透光カバー１０ａが略全面に配置されている。また足下灯１Ｂの前面上側にはＤＣコンセント部４及びＡＣコンセント部５が１口ずつ配置されている。また更に、足下灯１Ａの前面上側には１口のＤＣコンセント部４が、足下灯１Ｃの前面上側には１口のＡＣコンセント部５がそれぞれ配置されており、足下灯１ＤはＤＣコンセント部４及びＡＣコンセント部５をいずれも備えていない。すなわち、ＤＣコンセント部４及びＡＣコンセント部５の有無を除けば、足下灯１Ａ〜１Ｄは同様の構成を有しており、以下ではＤＣコンセント４及びＡＣコンセント部５を１口ずつ備えた足下灯１Ｂを例に説明を行う。
【００１９】
図１（ｂ）は足下灯１Ｂの内部回路図であり、足下灯１Ｂは、直流電源線Ｌ１が接続される直流接続端子Ｔ１と、交流電源線Ｌ２が接続される交流接続端子Ｔ２と、直流接続端子Ｔ１に入力された直流電源を外部の直流機器に供給するためのＤＣコンセント部４と、交流接続端子Ｔ２に入力された交流電源を外部の交流機器に供給するためのＡＣコンセント部５と、直流接続端子Ｔ１に入力された直流電源の電源電圧を内部回路の動作電圧に変換するＤＣ／ＤＣコンバータ６と、周囲の照度が所定の基準照度よりも暗くなると点灯信号を出力する明るさセンサ回路７と、直流接続端子Ｔ１に入力された直流電源から得た電源で動作し、交流接続端子Ｔ２に入力される電源電圧（ＡＣ１００Ｖ）が所定の閾値を下回ると点灯信号を出力する停電検知回路８と、前面に設けた透光カバー１０ａの内側に配置されるＬＥＤ１０と、明るさセンサ回路７又は停電検知回路８からオン信号が入力されると、ＬＥＤ１０を点灯させるＬＥＤ制御回路９（点灯回路）とを備えている。ここで、本実施形態では直流電力により駆動される直流光源としてＬＥＤ１０を備えているが、発光ダイオード以外の直流光源を備えていても良い。また停電検知回路８は、交流接続端子Ｔ２に入力された交流電源から得た電源で動作するようにしても良い。
【００２０】
なお足下灯１Ｂに、検知エリア内の人体から放射される熱線を検出することによって人の存否を検知する人体検知センサを設け、明るさセンサ回路７からオン信号が入力された状態で人体検知センサが人を検知すると、ＬＥＤ制御回路９がＬＥＤ１０を点灯させるようにしても良く、人がいない状態でＬＥＤ１０が点灯されるのを防止することができる。
【００２１】
ここで、足下灯１Ｂが備えるＤＣコンセント部４について図２〜図６を参照して説明する。ＤＣコンセント部４、並びに、ＤＣコンセント部４に着脱自在に接続されるプラグ５０はそれぞれＩＥＣ規格（ＣＥＩ／ＩＥＣ  ９０６−３）に準拠しており、ＩＥＣ規格（ＣＥＩ／ＩＥＣ  ９０６−３）では、８種類（交流及び直流の６Ｖ，１２Ｖ，２４Ｖ，４８Ｖ）のＳＥＬＶ（Safety Extra-Low Voltage）電源に対して極配置が定められている。
【００２２】
先ずプラグ５０の構成について図４〜図６を参照して説明する。プラグ５０は負荷機器からの電線５６に接続されている。プラグ５０は略円柱状のプラグ本体５１を備え、プラグ本体５１の先端側には後側よりも細径となる円筒状の嵌合部５２が形成されている。嵌合部５２の内周面には基準位置を示すリブ５３がプラグ本体５１の軸方向に沿って突設されている。そして、プラグ本体５１の中心位置を通り、当該中心位置とリブ５３とを結ぶ線分に対して直交する直線上には、中心位置に対して対称な位置に、プラグ本体５１の軸方向に沿って延びる丸棒状の２本の導電ピン５４ａ，５４ｂが配置されている。尚、図６（ａ）に示すようにリブ５３を上側に見た時に右側に位置する導電ピン５４ａが正極側、左側に位置する導電ピン５４ｂが負極側の導電ピンとなっている。また嵌合部５２の内周面には、電源の種類（直流又は交流の別、及び定格電圧）に応じた位置に、プラグ本体５１の軸方向に沿って延びる誤接続防止用の識別リブ５５が突設されている。図６（ａ）は直流用のプラグ５０に設けられた識別リブ５５の位置を示し、電源電圧がＤＣ６Ｖ，１２Ｖ，２４Ｖ，４８Ｖの場合、それぞれ、リブ５３の位置を基準（０°）として左回りに１２０°，１５０°，２１０°，２４０°の位置に識別リブ５５が１箇所ずつ形成されている。なお、図６（ｂ）は交流用のプラグ５０に設けられた識別リブ５５の位置を示し、電源電圧がＡＣ６Ｖ，１２Ｖ，２４Ｖ，４８Ｖの場合、それぞれ、リブ５３の位置を基準として左回りに３０°，６０°，３００°，３３０°の位置に識別リブ５５が１箇所ずつ形成されている。例えばＤＣ４８Ｖ用のＤＣコンセント部４に対応したプラグ５０では、リブ５３に対して左回りに２４０°の位置に識別リブ５５が形成されている。
【００２３】
一方、ＤＣコンセント部４は、図２及び図３に示すように、プラグ５０の先端部（嵌合部５２）が挿入される丸穴状のプラグ挿入用穴２１と、プラグ挿入用穴２１の内周面との間に隙間を設けた状態で、プラグ挿入用穴２１の底面から前方に向かって突出して嵌合部５２内に挿入される円柱状の突出部２２と、当該突出部２２の前面に開口して、プラグ５０の先端部に設けた導電ピン５４ａ，５４ｂが差込接続される一対の端子挿入用孔２３ａ，２３ｂと、端子挿入用孔２３ａ，２３ｂを通して器具本体１２内に挿入される導電ピン５４ａ，５４ｂにそれぞれ電気的に接続される刃受部材２５，２５とを備え、刃受部材２５は上述した直流接続端子Ｔ１に電気的に接続されている。突出部２２の周面には基準位置を示す切欠溝２２ａが形成され、突出部２２の中心位置を通り、当該中心位置と切欠溝２２ａとを結ぶ線分に対して直交する直線上には、中心位置に対して対称な位置に端子挿入用孔２３ａ，２３ｂが開口している。尚、図３（ａ）に示すように切欠溝２２ａを上側に見た時に左側に位置する端子挿入用孔２３ａが正極側、右側に位置する端子挿入用孔２３ｂが負極側の端子に対応している。また突出部２２の外周面には、電源の種類（直流又は交流の別、及び定格電圧）に応じた位置に、対応するプラグ５０の識別リブ５５が嵌合する誤接続防止用の切欠溝２２ｂ（誤接続防止溝）が形成されている。
【００２４】
ここで、図３（ａ）はＤＣコンセント部４に供給される電源が直流電源の場合の切欠溝２２ｂの位置を示し、電源電圧が６Ｖ，１２Ｖ，２４Ｖ，４８Ｖの場合、それぞれ、切欠溝２２ａの位置を基準（０°）として右回りに１２０°，１５０°，２１０°，２４０°の位置に切欠溝２２ｂが１箇所ずつ形成されている。また、図３（ｂ）はＤＣコンセント部４に供給される電源が交流電源の場合の切欠溝２２ｂの位置を示し、電源電圧が６Ｖ，１２Ｖ，２４Ｖ，４８Ｖの場合、それぞれ、切欠溝２２ａの位置を基準（０°）として右回りに３０°，６０°，３００°，３３０°の位置に切欠溝２２ｂが１箇所ずつ形成されている。ここにおいて、足下灯１Ａ，１Ｂに設けられたＤＣコンセント部４がＤＣ４８Ｖ用の場合、切欠溝２２ａの位置を基準として右回りに２４０°の位置に切欠溝２２ｂが形成されている。このように、ＤＣコンセント部４には、突出部２２の外周面において給電電圧に応じた位置に、プラグ５０の先端部に設けた識別リブ５５が係入する切欠溝２２ｂが形成されているので、識別リブ５５及び切欠溝２２ｂの位置によって、給電電圧の異なるプラグ５０が差込接続されるのを防止することができ、負荷機器に対して適切な供給電圧の直流電源を供給することができる。
【００２５】
そして、ＤＣコンセント部４に適合したプラグ５０の嵌合部５２がプラグ挿入用穴２１に挿入されると、嵌合部５２の筒内に突出部２２が挿入されて、嵌合部５２の内周面に設けたリブ５３，５５がそれぞれ突出部２２の切欠溝２２ａ，２２ｂに係入するとともに、プラグ５０の導電ピン５４ａ，５４ｂが突出部２２の端子挿入用孔２３ａ，２３ｂを通して突出部２２内に挿入され、導電ピン５４ａ，５４ｂが対応する刃受部材２５，２５に電気的に接続される。このとき、刃受部材２５，２５が導電ピン５４ａ，５４ｂと弾接する弾接力によって、プラグ５０がＤＣコンセント部４に接続された状態で保持される。なお、ＤＣコンセント部４では、突出部２２の前面が器具本体１２の前面よりも後退した位置にあるので、ＤＣコンセント部４に接続されたプラグ５０の器具本体１２前面からの突出量を小さくできる。
【００２６】
またＡＣコンセント部５は、日本工業規格（ＪＩＳ  Ｃ  ８３０３参照）で極配置が規定されたＡＣ１００Ｖ用のコンセントであり、一対の平行栓刃がそれぞれ挿入される栓刃挿入口５ａが開口し、栓刃挿入口５ａを通して挿入される栓刃を受ける刃受部材が器具本体１２の内部に収納されている。尚、ＡＣコンセント部５の構成は従来周知であるので、その説明は省略する。
【００２７】
上述のように本実施形態の足下灯１Ａ〜１Ｄは、バッテリー３により停電保証された直流電源を供給する直流電源線Ｌ１が接続される直流接続端子Ｔ１と、交流電源の停電時に直流接続端子Ｔ１を介して供給される直流電源から得た電源で、直流電力で駆動されるＬＥＤ１０を点灯させるＬＥＤ制御回路９とを備えているので、個々の足下灯１Ａ〜１Ｄに二次電池を持たせなくても、停電時にＬＥＤ１０を点灯させることができる。したがって、保安灯機能を備え、停電時に点灯させるための電源として二次電池を不要にした足下灯１Ａ〜１Ｄを実現でき、個々の足下灯１Ａ〜１Ｄで二次電池を交換する手間が無くなるという効果もある。また足下灯１Ａ〜１Ｄは、直流接続端子Ｔ１に入力された直流電源から得た電源で駆動される停電検知回路８を備えており、個々の足下灯１Ａ〜１Ｄで停電を検知することができるので、例えば分電盤などで停電検知を行い、分電盤から各照明装置に停電検知信号を送信して、各照明装置を点灯させる場合に比べて、各照明装置に停電検知信号を受信する回路や、分電盤と各照明装置の間を接続する通信線などが不要になるから、照明装置のコストダウンを図ることができる。
【００２８】
さらに、足下灯１Ｂ，１Ａでは、ＤＣコンセント部４に供給される直流電源を停電検知回路８の電源としているので、ＤＣコンセント部４に供給される直流電源から停電検知回路８の電源を得ることができる。
【００２９】
また足下灯１ＡはＤＣコンセント部４を１口、足下灯１ＣはＡＣコンセント部５を１口、足下灯１ＢはＤＣコンセント部４及びＡＣコンセント部５を１口ずつ備えており、足下灯１Ａ〜１ＣのＤＣコンセント部４或いはＡＣコンセント部５に負荷機器のプラグを接続することで、足下灯１Ａ〜１Ｃから直流電源或いは交流電源を負荷機器に供給することができる。尚、足下灯１Ｄでは、ＡＣコンセント部５に供給される交流電源を停電検知回路８の電源としても良く、ＡＣコンセント部５に供給される直流電源から停電検知回路８の電源を得ることができる。
【００３０】
（実施形態２）
本発明の実施形態２を図７〜図１０に基づいて説明する。尚、本実施形態では、照明装置として天井面に配設される天井取付型の照明器具を例に説明を行う。
【００３１】
図７は全体システムのシステム構成図であり、この照明システムは、建物内に配線された交流電源線Ｌ２と、交流電源線Ｌ２を介して供給される交流電源（ＡＣ１００Ｖ）を直流電源（例えばＤＣ４８Ｖ）に変換するＡＣ／ＤＣコンバータ２と、建物内に交流電源線Ｌ２と並行して配線され、ＡＣ／ＤＣコンバータ２の直流出力端子に接続される直流電源線Ｌ１と、直流電源線Ｌ１に接続され通電中は充電されるとともに停電時には充電電荷を放電するバッテリー３と、交流電源線Ｌ２及び直流電源線Ｌ１に接続され、交流電源或いは直流電源の供給を受けて動作する照明器具３０，３１とで構成される。
【００３２】
次に照明器具３０の内部回路を図８の回路ブロック図を参照して説明する。照明器具３０は、天井面に開口する埋込孔に埋込配設されるダウンライトのような照明器具であり、直流電源線Ｌ１が接続される直流接続端子Ｔ３と、交流電源線Ｌ２が接続される交流接続端子Ｔ４と、交流接続端子Ｔ４を介して入力される交流電源を直流電源に変換するＡＣ／ＤＣコンバータ３２と、ＡＣ／ＤＣコンバータ３２の出力の電圧値を内部回路（ＬＥＤ制御回路３６など）の動作電圧に変換するＤＣ／ＤＣコンバータ３３と、直流接続端子Ｔ３を介して入力される直流電源の電圧値を内部回路の動作電圧に変換するＤＣ／ＤＣコンバータ３４と、交流接続端子Ｔ４の入力電圧と所定のしきい値電圧との高低を比較することによって停電の有無を検知する停電検知回路３５と、通電中はＤＣ／ＤＣコンバータ３３から直流電源の供給を受けてＬＥＤ３７を点灯させるとともに、停電検知回路３５が交流電源の停電を検知すると、電源をＤＣ／ＤＣコンバータ３４に切り替えて、ＬＥＤ３７を自動点灯させるＬＥＤ制御回路３６とを備えている。
【００３３】
この照明器具３０では、交流電源の通電中は交流電源から電源を得てＬＥＤ３７を点灯させるとともに、交流電源の停電を検知すると、ＬＥＤ制御回路３６が、バッテリー３により停電保証され、直流接続端子Ｔ３から入力された直流電源より電源を得て、直流光源であるＬＥＤ３７を自動的に点灯させているので、照明器具３０に二次電池を持たせなくても、停電時にＬＥＤ３７を点灯させることができる。したがって、保安灯機能を備え、停電時に点灯させるための電源として二次電池を不要にした天井埋込型の照明器具３０を実現でき、個々の照明器具３０で二次電池を交換する手間が無くなるという効果もある。また照明器具３０は、直流電源の供給を受けて動作する停電検知回路３５を備え、個々の照明器具３０で停電を検知することができるので、例えば分電盤などで停電検知を行い、分電盤から各照明器具３０に停電検知信号を送信して、各照明器具３０を点灯させる場合に比べて、各照明器具３０に停電検知信号を受信する回路や、分電盤と各照明器具３０の間を接続する通信線などが不要になるから、照明器具３０のコストダウンを図ることもできる。尚、停電検知回路３５は交流電源から得た電源で動作させるようにしても良い。
【００３４】
一方、照明器具３１は、天井下面に配設された引掛シーリング４２に着脱自在に取り付けられる器具本体３１ａを備え、器具本体３１ａの内部に光源のＬＥＤ３７及び蛍光灯３９とその点灯回路を収納している。ここで、引掛シーリング４２の下面には、直流用の２個の引掛栓刃挿入口４３ａを備えた直流接続部４３と、交流用の２個の引掛栓刃挿入口４４ａを備えた交流接続部４４とが設けられている。２個の引掛栓刃挿入口４３ａは弧状に開口し、同一円周上に設けられており、引掛シーリング４２の内部には、引掛栓刃挿入口４３ａの一端部から挿入された器具側の引掛栓刃が引掛栓刃挿入口４３ａの他端部に移動したときに引掛栓刃を引掛保持する引掛栓刃受け部が配置されている。また他の２個の引掛栓刃挿入口４４ａも弧状に開口し、引掛栓刃挿入口４３ａと同心に設けられており、引掛シーリング４２の内部には、引掛栓刃挿入口４４ａの一端部から挿入された引掛栓刃が引掛栓刃挿入口４４ａの他端部に移動したときに引掛栓刃を引掛保持する引掛栓刃受け部が配置されている。尚、引掛シーリング４２の交流接続部４４は従来周知の構成を有しており、また直流接続部４３も交流接続部４４と同様の構成を有しているので、詳細な説明は省略する。
【００３５】
そして、照明器具３１は、図９の回路ブロック図に示すように、引掛シーリング４２の直流用の引掛栓刃挿入口４３ａに挿入されて引掛栓刃受け部に引掛保持される引掛栓刃からなり、引掛シーリング４２を介して直流電源線Ｌ１に接続される直流接続端子Ｔ３と、引掛シーリング４２の交流用の引掛栓刃挿入口４４ａに挿入されて引掛栓刃受け部に引掛保持される引掛栓刃からなり、引掛シーリング４２を介して交流電源線Ｌ２に接続される交流接続端子Ｔ４と、交流接続端子Ｔ４を介して入力される交流電源を直流電源に変換するＡＣ／ＤＣコンバータ３２と、直流接続端子Ｔ３を介して入力される直流電源の電圧値を内部回路（ＬＥＤ制御回路３６など）の動作電圧に変換するＤＣ／ＤＣコンバータ３４と、交流接続端子Ｔ４の入力電圧と所定のしきい値電圧との高低を比較することによって停電の有無を検知する停電検知回路３５と、停電検知回路３５が停電を検知するとＤＣ／ＤＣコンバータ３４から電源供給を受けて、ＬＥＤ３７を自動点灯させるＬＥＤ制御回路３６と、ＡＣ／ＤＣコンバータ３２の出力を高周波の交流電圧に変換して蛍光灯３９に供給することで蛍光灯３９を点灯させるインバータ回路３８とを備えている。
【００３６】
この照明器具３１では、交流電源の通電中は交流電源から電源を得て蛍光灯３９を点灯させるとともに、交流電源の停電を検知すると、ＬＥＤ制御回路３６が、バッテリー３により停電保証され、直流接続端子Ｔ３から入力された直流電源より電源を得て、直流光源であるＬＥＤ３７を自動的に点灯させているので、照明器具３１に二次電池を持たせなくても、停電時にＬＥＤ３７を点灯させることができる。したがって、引掛シーリング４２を用いて天井面に取り付けられる照明器具３１において、保安灯機能を備え、停電時に点灯させるための電源として二次電池を不要にした照明器具を実現でき、個々の照明器具３１で二次電池を交換する手間が無くなるという効果がある。また照明器具３１は、直流電源の供給を受けて動作する停電検知回路３５を備え、個々の照明器具３１で停電を検知することができるので、例えば分電盤などで停電検知を行い、分電盤から各照明器具３１に停電検知信号を送信して、各照明器具３１を点灯させる場合に比べて、各照明器具３１に停電検知信号を受信する回路や、分電盤と各照明器具３１の間を接続する通信線などが不要になるから、照明器具３１のコストダウンを図ることができる。
【００３７】
なお、上述の照明器具３１では、直流電源を電源としてＬＥＤ３７を点灯させているが、図１０に示すようにＡＣ／ＤＣコンバータ３２の出力の電圧値をＬＥＤ制御回路３６の動作電圧に変換するＤＣ／ＤＣコンバータ４０と、外部から入力される切替信号に応じてＬＥＤ３７の電源をＤＣ／ＤＣコンバータ３４又はＤＣ／ＤＣコンバータ４０の何れかに切り替える切替回路４５と、停電検知回路３５の検知結果に基づいて切替回路４５及びＬＥＤ制御回路３６の動作を制御する制御回路４１とを備え、交流電源の通電中は交流電源から得た直流電源でＬＥＤ３７を点灯させるようにしても良い。ここで、交流電源の通電中は制御回路４１が切替回路４５の切替状態を制御して、ＬＥＤ制御回路３６の電源をＤＣ／ＤＣコンバータ４０側に切り替えており、ＬＥＤ制御回路３６は交流電源から得た直流電源を電源としてＬＥＤ３７を点灯させている。また停電検知回路３５が交流電源の停電を検知すると、制御回路４１は切替回路４５の切替状態を制御してＬＥＤ制御回路３６の電源をＤＣ／ＤＣコンバータ３４側に切り替えており、ＬＥＤ制御回路３６はバッテリー３で停電補償された直流電源から電源供給を受けてＬＥＤ３７を点灯させている。而して、図１０に示す回路では交流電源の通電中は交流電源から得た電源でＬＥＤ３７を点灯させているので、直流電源の負荷を低減できるという利点がある。
【図面の簡単な説明】
【００３８】
【図１】（ａ）は実施形態１の足下灯を用いる照明システムのシステム構成図、（ｂ）は足下灯の回路ブロック図である。
【図２】同上の足下灯が備えるＤＣコンセント部を示し、（ａ）はＤＣコンセント部の拡大図、（ｂ）はＣ−Ｃ断面図、（ｃ）はＤ−Ｄ断面図である。
【図３】同上のＤＣコンセント部に設けられた切欠溝の位置を示し、（ａ）は直流電源の場合の説明図、（ｂ）は交流電源の場合の説明図である。
【図４】同上のＤＣコンセント部に接続されるプラグを示し、（ａ）は外観斜視図、（ｂ）は正面図である。
【図５】同上のＤＣコンセント部に接続されるプラグを示し、（ａ）は正面図、（ｂ）はＥ−Ｅ断面図、（ｃ）はＦ−Ｆ断面図である。
【図６】同上のＤＣコンセント部に接続されるプラグに設けた識別リブの位置を示し、（ａ）は直流電源の場合の説明図、（ｂ）は交流電源の場合の説明図である。
【図７】実施形態２の照明器具を用いる照明システムのシステム構成図である。
【図８】同上の照明器具の回路ブロック図である。
【図９】同上の他の照明器具の回路ブロック図である。
【図１０】同上のまた別の照明器具の回路ブロック図である。
【符号の説明】
【００３９】
１Ａ〜１Ｄ  足下灯
２  ＡＣ／ＤＣコンバータ
３  バッテリー
６  ＤＣ／ＤＣコンバータ
８  停電検知回路
９  ＬＥＤ制御回路（点灯回路）
１０  ＬＥＤ（直流光源）
Ｌ１  直流電源線
Ｌ２  交流電源線
Ｔ１  直流接続端子
Ｔ２  交流接続端子
【図１】
2010040205.tif 000003
【図２】
2010040205.tif 000004
【図３】
2010040205.tif 000005
【図４】
2010040205.tif 000006
【図５】
2010040205.tif 000007
【図６】
2010040205.tif 000008
【図７】
2010040205.tif 000009
【図８】
2010040205.tif 000010
【図９】
2010040205.tif 000011
【図１０】
2010040205.tif 000012